(57)【要約】      （修正有）【課題】自動ロックシステムが搭載された電子機器が密集している場合に、異なるシステム間での混信を防止する。【解決手段】ロック解除装置５は、携帯電話機３の固体識別子（ＩＤコード）を含めて、操作の規制を解除させるためのロック解除信号を間欠的に送信する。ロック解除信号の送信間隔は毎回の送信ごとに変更されるので、多数の自動ロックシステムが同じ場所内に混在した場合であっても、互いに送信タイミングが重なることがなくなる。【選択図】図２
2007325035.tif 000002
【特許請求の範囲】
【請求項１】
個体同士を互いに識別可能とする個体識別子を有した電子機器と、前記電子機器に対して前記個体識別子に対応する識別子情報を含めたロック解除信号を送信するロック解除装置と、前記電子機器に付属して前記ロック解除信号を受信可能な受信機とを備え、
前記電子機器の受信機により受信された前記ロック解除信号に含まれる識別子情報が前記個体識別子と一致している場合には前記電子機器に対する操作の受け付けが許容される一方、前記ロック解除信号に含まれる識別子情報が前記個体識別子と一致しないか、もしくは所定期間内に前記受信機により前記ロック解除信号が受信できない場合には前記電子機器に対する操作の受け付けが規制される電子機器の自動ロックシステムにおいて、
前記ロック解除装置は、
前記ロック解除信号を間欠的に送信する間欠送信手段と、
前記間欠送信手段が前記ロック解除信号を送信する送信間隔を変更する送信間隔変更手段とを有することを特徴とする電子機器の自動ロックシステム。
【請求項２】
個体同士を互いに識別可能とする個体識別子を有した電子機器と、前記電子機器に対して前記個体識別子に対応する識別子情報を含めたロック解除信号を送信するロック解除装置と、前記電子機器に付属して前記ロック解除信号を受信可能な受信機とを備え、
前記電子機器の受信機により受信された前記ロック解除信号に含まれる識別子情報が前記個体識別子と一致している場合には前記電子機器に対する操作の受け付けが許容される一方、前記ロック解除信号に含まれる識別子情報が前記個体識別子と一致しないか、もしくは所定期間内に前記受信機により前記ロック解除信号が受信できない場合には前記電子機器に対する操作の受け付けが規制される電子機器の自動ロックシステムにおいて、
前記ロック解除装置は、
予め定められた基準時間に対して所定の係数を乗じた送信間隔をおいて間欠的に前記ロック信号を送信する間欠送信手段と、
前記間欠送信手段により前記基準時間に乗じる係数の値を変化させることで、前記間欠送信手段による前記ロック解除信号の送信間隔を変更する送信間隔変更手段とを有することを特徴とする電子機器の自動ロックシステム。
【請求項３】
請求項２に記載の電子機器の自動ロックシステムにおいて、
前記送信間隔変更手段は、前記ロック解除信号が送信される毎に前記間欠送信手段により前記基準時間に乗じる係数の値を変化させ、次回の前記間欠送信手段による前記ロック解除信号の送信間隔を変更することを特徴とする電子機器の自動ロックシステム。
【請求項４】
個体同士を互いに識別可能とする個体識別子を有した電子機器と、前記電子機器に対して前記個体識別子に対応する識別子情報を含めたロック解除信号を送信するロック解除装置と、前記電子機器に付属して前記ロック解除信号を受信可能な受信機とを備え、
前記電子機器の受信機により受信された前記ロック解除信号に含まれる識別子情報が前記個体識別子と一致している場合には前記電子機器に対する操作の受け付けが許容される一方、前記ロック解除信号に含まれる識別子情報が前記個体識別子と一致しないか、もしくは所定期間内に前記受信機により前記ロック解除信号が受信できない場合には前記電子機器に対する操作の受け付けが規制される電子機器の自動ロックシステムにおいて、
前記ロック解除装置は、
前記ロック解除信号を送信可能とする時間帯として予め所定間隔ごとに送信可能時間帯を設定するとともに、この送信可能時間帯をさらに複数の単位時間帯に細分化し、そのいずれか１つの単位時間帯にて前記ロック解除信号を送信することで間欠的な送信を行う間欠送信手段と、
前記間欠送信手段が前記ロック解除信号を送信するごとに、前記複数の単位時間帯のうち今回の送信がなされた１つの単位時間帯とは別の単位時間帯を指定する時間帯指定手段と、
前記単位時間帯指定手段により指定された別の単位時間帯を、前記間欠送信手段が次回の前記ロック解除信号を送信するべき新たな１つの単位時間帯として設定することで前記ロック解除信号の送信間隔を変更する送信間隔変更手段とを有することを特徴とする電子機器の自動ロックシステム。
【請求項５】
請求項１から４のいずれかに記載の電子機器の自動ロックシステムにおいて、
前記電子機器は、
前記受信機により前記ロック解除信号を待ち受ける時間帯として予め定められた間隔ごとに受信待機時間帯を設定する待機時間帯設定手段と、
前記待機時間帯設定手段により設定された受信待機時間帯では前記受信機により前記ロック解除信号を受信可能な状態とし、その他の時間帯では前記ロック解除信号を受信しない状態とする受信状態制御手段とを有することを特徴とする電子機器の自動ロックシステム。
【請求項６】
個体同士を互いに識別可能とする個体識別子を有した電子機器と、前記電子機器に対して前記個体識別子に対応する識別子情報を含めたロック解除信号を送信するロック解除装置と、前記電子機器に付属して前記ロック解除信号を受信可能な受信機とを備え、
前記電子機器の受信機により受信された前記ロック解除信号に含まれる識別子情報が前記個体識別子と一致している場合には前記電子機器に対する操作の受け付けが許容される一方、前記ロック解除信号に含まれる識別子情報が前記個体識別子と一致しないか、もしくは所定期間内に前記受信機により前記ロック解除信号が受信できない場合には前記電子機器に対する操作の受け付けが規制される電子機器の自動ロックシステムにおいて、
前記ロック解除装置は、
前記ロック解除信号を間欠的に送信する間欠送信手段と、
前記間欠送信手段が前記ロック解除信号を送信する毎に、次回の送信タイミングに関する情報を前記ロック解除信号に含める送信時間通知手段とを有し、
前記電子機器は、
前記受信機により受信された前記ロック解除信号に含まれる情報から次回の送信タイミングを抽出し、この抽出した送信タイミングに基づいて前記受信機により前記ロック解除信号を次回に受信するべき受信時間帯を設定する受信時間帯設定手段と、
前記受信時間帯設定手段により設定された受信時間帯の間に前記受信機を受信可能な状態とする受信制御手段とを有することを特徴とする電子機器の自動ロックシステム。
【請求項７】
請求項１から６のいずれかに記載の電子機器の自動ロックシステムにおいて、
前記電子機器は、
前記受信機により前記ロック解除信号を受信できない状態が予め定められた期間にわたって継続した場合、前記受信機による前記ロック解除信号の受信を休止したスリープ状態に移行させるスリープ状態移行手段と、
前記スリープ状態移行手段により前記スリープ状態を一定時間にわたり継続させた後、前記スリープ状態を解除して前記受信機により前記ロック解除信号を受信可能とするスリープ状態解除手段と、
前記スリープ状態移行手段による前記スリープ状態への移行と、前記スリープ解除手段による前記スリープ状態の解除とを交互に繰り返し実行するスリープ状態制御手段とを有することを特徴とする電子機器の自動ロックシステム。
【発明の詳細な説明】
【技術分野】
【０００１】
本発明は、携帯電話機や携帯電子端末、ノート型パソコン等の電子機器の自動ロックシステムに関する。
【背景技術】
【０００２】
携帯型の電子機器においては、特定の使用者でない者による不正な操作を防止するため、特定の使用者の手元から離れると、自動的に操作を受け付けなくする自動ロックシステムを搭載したものがある。例えば、携帯電話機のキーロックシステム（自動ロックシステム）として、特定の使用者が携帯電話機とそのロック解除コードをのせた微弱な電波信号を送信するロック解除装置とを予め対応させて所持しておくことで、携帯電話機のキー操作を自動的にロックしたり、ロックを解除したりするものがある（特許文献１参照）。      
【０００３】
上記のキーロックシステムでは、特定の使用者が携帯電話機とこれに対応するロック解除装置とを相互に近接させて所持していれば、携帯電話機に記憶されたロック解除コードと受信したロック解除コードとが一致することにより、携帯電話機のキーロックが解除された状態となる。一方、特定の使用者が携帯電話機だけを置き忘れてその場から離れると、携帯電話機にはロック解除コードをのせた電波信号が届かなくなり、それによって携帯電話機は自動的にキーロックされた状態となる。この場合、特定の使用者でない者が勝手に携帯電話機のキー操作をしようとしても、その操作が受け付けられることはない。
【特許文献１】特許２９３７８２０号公報
【発明の開示】
【発明が解決しようとする課題】
【０００４】
しかしながら、上記のキーロックシステムを採用した携帯電話機が一般に広く普及した場合、比較的多くの人が集まる場所（例えばスタジアム、商業施設、事業所等）においては、同じ場所内で各人の所有する携帯電話機とこれに対応するロック解除装置とが密集し、複数が互いに近接し合う状況が生じる。このような状況下では、たとえ互いの携帯電話機が別々のロック解除コードを有していたとしても、周囲にある複数のロック解除装置から複数の電波信号を同時に受信することで、頻繁に混信が生じるおそれがある。
【０００５】
そこで本発明は、携帯電話機のような一般に広く普及した電子機器に適用した場合でも、上記のような混信の不具合を生じにくいロックシステムの提供を課題とする。
【課題を解決するための手段】
【０００６】
本発明は、個体同士を互いに識別可能とする個体識別子を有した電子機器と、電子機器に対して個体識別子に対応する識別子情報を含めたロック解除信号を送信するロック解除装置と、電子機器に付属してロック解除信号を受信可能な受信機とを備えた自動ロックシステムである。この自動ロックシステムでは、電子機器の受信機により受信されたロック解除信号に含まれる識別子情報が個体識別子と一致している場合には電子機器に対する操作の受け付けが許容される一方、ロック解除信号に含まれる識別子情報が個体識別子と一致しないか、もしくは所定期間内に受信機によりロック解除信号が受信できない場合には電子機器に対する操作の受け付けが規制される。
【０００７】
そして上記の課題を解決するため、本発明ではロック解除装置について以下の特徴を有する。すなわち第１の発明に係るロック解除装置は、ロック解除信号を間欠的に送信する間欠送信手段と、間欠送信手段がロック解除信号を送信する送信間隔を変更する送信間隔変更手段とを有している（請求項１）。
【０００８】
第１の発明によれば、ある１箇所に多くのシステムが混在し、複数のロック解除装置が互いに近接している状況においても、個々のロック解除装置によるロック解除信号の送信タイミングを互いに異ならせることができる。このため個々の電子機器では、複数のロック解除装置から異なるロック解除信号を基本的に同時に受信しないことから、ロック解除信号の混信を防止することができる。
【０００９】
これにより、個々の電子機器においては、受信したロック解除信号に含まれる個体識別子と自己の個体識別子とが一致しているか否かに関して、これを確実に判定することができる。このため電子機器では、周囲にロック解除装置が複数存在する場合でも、受信したロック解除信号に含まれる個体識別子が自己のものと一致する場合には確実に操作を許容することができる一方、個体識別子が一致しない場合には確実に操作の規制を継続することができる。
【００１０】
第２の発明は、自動ロックシステムとして独立の構成を有する。すなわち第２の発明に係るロック解除装置は、予め定められた基準時間に対して所定の係数を乗じた送信間隔をおいて間欠的にロック信号を送信する間欠送信手段と、間欠送信手段により基準時間に乗じる係数の値を変化させることで、間欠送信手段によるロック解除信号の送信間隔を変更する送信間隔変更手段とを有する（請求項２）。
【００１１】
第２の発明によれば、第１の発明と同様にロック解除信号の混信を防止することができる上、より具体化された手段によったロック解除信号の送信間隔を変更することができる。
【００１２】
第３の発明は、上述した第２の発明において、送信間隔変更手段は、ロック解除信号が送信される毎に間欠送信手段により基準時間に乗じる係数の値を変化させ、次回の間欠送信手段によるロック解除信号の送信間隔を変更することもできる（請求項３）。
【００１３】
この場合、ロック解除信号が送信されるごとに送信間隔が変化するため、複数のシステムが混在する環境下で、複数の異なるロック解除信号の送信タイミングが偶然にも一致することは考えにくい。これにより、確実にロック解除信号の混信を防止することができ、自動ロックシステムの有用性を最大に発揮することができる。
【００１４】
第４の発明は、さらに別途独立の構成を有する。自動ロックシステムの基本構成は第１の発明と共通するものの、第４の発明に係るロック解除装置は、ロック解除信号を送信可能とする時間帯として予め所定間隔ごとに送信可能時間帯を設定するとともに、この送信可能時間帯をさらに複数の単位時間帯に細分化し、そのいずれか１つの単位時間帯にてロック解除信号を送信することで間欠的な送信を行う間欠送信手段と、間欠送信手段がロック解除信号を送信するごとに、複数の単位時間帯のうち今回の送信がなされた１つの単位時間帯とは別の単位時間帯を指定する時間帯指定手段と、単位時間帯指定手段により指定された別の単位時間帯を、間欠送信手段が次回のロック解除信号を送信するべき新たな１つの単位時間帯として設定することでロック解除信号の送信間隔を変更する送信間隔変更手段とを有する（請求項４）。
【００１５】
第４の発明によれば、多数のシステムが混在する環境下で、複数の電子機器が互いに近接して使用される場合においても、これら複数の電子機器に各々対応した個々のロック解除装置は、ロック解除信号を送信する度に別の単位時間帯を指定して次回の送信タイミングを設定する。したがって個々のロック解除装置は、個々別々に指定された単位時間帯に基づく送信タイミングでロック解除信号を送信する。
【００１６】
このため複数のロック解除装置が互いに近接している場合でも、複数のロック解除装置によるロック解除信号の送信タイミングを互いに異ならせることができることから、個々の電子機器では、複数のロック解除装置から異なるロック解除信号を同時に受信することがなく、その混信を引き起こすことがない。
【００１７】
第５の発明は、自動ロックシステムを構成する電子機器に特徴を有する。すなわち第１から第４の発明において、第５の発明に係る電子機器は、受信機によりロック解除信号を待ち受ける時間帯として予め定められた間隔ごとに受信待機時間帯を設定する待機時間帯設定手段と、待機時間帯設定手段により設定された受信待機時間帯では受信機によりロック解除信号を受信可能な状態とし、その他の時間帯ではロック解除信号を受信しない状態とする受信状態制御手段とを有する（請求項５）。
【００１８】
第５の発明によれば、第１から第４の発明に加えて、システムの一部である電子機器によるロック信号の受信作動が間欠的になり、その作動時間が制限されるため、それだけ消費電力を抑えることができる。
【００１９】
第６の発明は、また別途独立の構成を有する。自動ロックシステムの基本構成は第１の発明と共通するものの、第６の発明はロック解除装置及び電子機器の双方に特徴を有する。すなわち、第６の発明に係るロック解除装置は、ロック解除信号を間欠的に送信する間欠送信手段と、間欠送信手段がロック解除信号を送信する毎に、次回の送信タイミングに関する情報をロック解除信号に含める送信時間通知手段とを有する。一方、第６の発明に係る電子機器は、受信機により受信されたロック解除信号に含まれる情報から次回の送信タイミングを抽出し、この抽出した送信タイミングに基づいて受信機によりロック解除信号を次回に受信するべき受信時間帯を設定する受信時間帯設定手段と、受信時間帯設定手段により設定された受信時間帯の間に受信機を受信可能な状態とする受信制御手段とを有する（請求項６）。
【００２０】
第６の発明によれば、その電子機器は、ロック解除装置から受信した送信タイミングに関する情報に基づいて、ロック解除装置がロック解除信号を送信してくるであろうタイミングや時間帯、時刻等を予測することができる。このため電子機器では、この予測可能なタイミングに合わせてロック解除信号を受信するべき時間帯を間欠的に設定しておけばよいことから、これ以外の時間帯において受信動作する必要がない。したがって電子機器は、さらに消費電力を抑えることができる。
【００２１】
また悪意を持った者が、例えばいわゆる学習リモートコントローラ（以下「学習リモコン」と呼称する）を用いてロック解除信号を出力することで、電子機器の操作の規制を解除しようとしても、次のようにして防止することができる。
【００２２】
すなわち、学習リモコンが出力したロック解除信号には、ロック解除信号の送信タイミングに関する情報が含まれていないため、電子機器では、仮にこのロック解除信号を受信しても、このロック解除信号から送信タイミングに関する情報を抽出することができない。したがって電子機器では、次に受信動作を行うべき時間帯を設定することができない。このため電子機器は、このような学習リモコンを悪用して操作の規制を解除することができず、これを悪用した不正行為に対する強固な対抗策を備えたものとなる。
【００２３】
第１から第６の発明において、第７の発明に係る電子機器は、受信機によりロック解除信号を受信できない状態が予め定められた期間にわたって継続した場合、受信機によるロック解除信号の受信を休止したスリープ状態に移行させるスリープ状態移行手段と、スリープ状態移行手段によりスリープ状態を一定時間にわたり継続させた後、スリープ状態を解除して受信機によりロック解除信号を受信可能とするスリープ状態解除手段と、スリープ状態移行手段によるスリープ状態への移行と、スリープ解除手段によるスリープ状態の解除とを交互に繰り返し実行するスリープ状態制御手段とを有する（請求項７）。
【００２４】
自動ロックシステムを構成する電子機器にあっては、例えばロック解除装置を所持した所有者が電子機器を置き忘れて立ち去った場合、ロック解除信号を受信できない状態が継続しているにも関わらず、引き続きロック解除信号を受信するため作動し続けることは、無駄な電力の消費につながりやすい。
【００２５】
そこで第７の発明によれば、電子機器は、このような状態が継続した段階でスリープ状態に移行させるものとしている。このため電子機器は、ロック解除信号を受信できないのにもかかわらず、むやみにロック解除信号を受信しようと作動し続けることがない。このため電子機器は、無駄な電力消費を抑えることができることから、長期間にわたり消費電力を抑えることができる。特に電子機器が充電式の電池を有する場合、電池の残量を長く保持することができるため、携帯性に優れた電子機器となる。
【００２６】
しかも電子機器は、このスリープ状態に一旦移行した場合でも、一定時間経過すると、スリープ状態が解除され、再度、ロック解除信号を受信可能な状態となる。したがって電子機器は、消費電力を抑制しつつ、ロック解除信号の受信待ちをすることができる。
【発明の効果】
【００２７】
本発明の電子機器の自動ロックシステムによれば、多数のシステムが混在して複数のロック解除装置からロック解除信号が送信される状況にあっても、個々の電子機器にてその混信が生じる事態を確実に防止することができる。
【発明を実施するための最良の形態】
【００２８】
以下、本発明の実施に適した形態について、図面を参照しながら説明する。本発明のロックシステムは、例えば一般に広く普及した電子機器である携帯電話機のロックシステムとして好ましい実施の形態をとることができる。ただし、電子機器は携帯電話機に限らず、携帯型情報端末、ノート型パソコン、携帯型電子ゲーム機等であってもよい。
【００２９】
図１は、本発明の一実施形態としての自動ロックシステムの外観の一例を示している。図１では便宜上、自動ロックシステム全体に参照符号（１，１ａ〜１ｅ）を付して示している。自動ロックシステム１は、携帯電話機３及びロック解除装置５を有する。携帯電話機３は、例えばキー操作によって音声通話や情報通信等が可能な電子機器である。
【００３０】
個々の携帯電話機３には、個体識別子としてのＩＤ（Ｉｄｅｎｔｉｆｉｃａｔｉｏｎ）コードが割り当てられている。ＩＤコードは、携帯電話機３に内蔵された不揮発性メモリ等の記憶装置に記憶されている。あるいは、セキュリティチップのような個別にＩＤコードを有した中央演算処理装置（ＣＰＵ）を携帯電話機３に用いれば、そのＩＤコードによって携帯電話機３に個体識別子が割り当てられる。
【００３１】
自動ロックシステム１において、ロック解除装置５は携帯電話機３に対応し、携帯電話機３は、これに対応するロック解除装置５とセットで使用される。具体的には、ロック解除装置５は携帯電話機３に対してロック解除信号を送信する機能を有しており、このロック解除信号には対応する携帯電話機３のＩＤコードが含まれている。
【００３２】
携帯電話機３は、自動的にキー操作をロックしたり、そのロックを解除したりする機能、いわゆる自動ロック機能を有している。なお、ここでは「キー操作」として一般的に総称しているが、携帯電話機３の操作には回転式ホイールの操作やトグルスイッチの操作等、ユーザが携帯電話機３の機能を活用するために必要な各種の操作が含まれる。また、携帯電話機３は受信機７を内蔵しており、この受信機７では受信プログラムが実行されている。
【００３３】
上記のキーロック機能が働くと、携帯電話機３のキー操作がロック（規制）された状態となる。この状態では、携帯電話機３の電源がオンになっていてもキー操作は受け付けられない。逆に、キーロック機能が働いていない状態では、上記のようなキー操作のロックは解除されており、ユーザは通常どおりキー操作が可能となる。
【００３４】
自動ロックシステム１は、携帯電話機３の所有者であるユーザがロック解除装置５をセットで所持し、両者を互いに近接させて使用することを基本的な使用形態としている。図１に示されるように、ロック解除装置５を例えばキーホルダ型の形態として、ユーザの持ち歩きの利便性を向上することが好ましい。あるいは、ロック解除装置５をカード型や首下げ型の形態にしてもよい。
【００３５】
いずれにしても、携帯電話機３は、内蔵の受信機７によりロック解除装置５からロック解除信号を受信すると、このロック解除信号に含まれるＩＤコードが自己の記憶するＩＤコードと一致しているか否かを判断する。その結果、ＩＤコードが一致した場合、携帯電話機３はキー操作のロックを解除する。このように携帯電話機３においてキー操作のロックが解除されると、ユーザが自由にキー操作を行うことができる状態となる。
【００３６】
一方、携帯電話機３は、ロック解除信号を受信できない場合や、ロック解除信号を受信できたものの、このロック解除信号に含まれるＩＤコードが自己のＩＤコードと一致しない場合、キーロック機能によって、キー操作のロック（規制）を継続する。このようなキーロック機能によれば、携帯電話機３は、本来のユーザでない者によってキー操作がなされることを阻止することができる。これにより、携帯電話機３のメモリ内にあるアドレス帳やメール文書、画像等が他人に覗き見されたり、他人によって通話発信がされたりすることがなくなる。
【００３７】
なお、携帯電話機３が受信したロック解除信号に含まれるＩＤコードが自己のＩＤコードと一致しない場合とは、携帯電話機３の近くに別の携帯電話機（ＩＤコードが異なるもの）に対応したロック解除装置が存在しており、そのロック解除装置からロック解除信号を受信した場合のことである。この場合、携帯電話機３においてＩＤコードが一致しないことから、他のロック解除装置によって携帯電話機３のキー操作ロックが解除されてしまうことはない。
【００３８】
図２は、図１に示す自動ロックシステム１の電気的な構成例を示している。本実施形態では、上述のように携帯電話機３に受信機７が内蔵されている形態を一例として挙げる。これら受信機７と携帯電話機３との間においては、キー操作のロックあるいはロックの解除を通知するための通知信号や、電源の制御に関する電源制御信号の交換がされている。ただし、受信機７は携帯電話機３に内蔵されている形態だけでなく、携帯電話機３とは別体で、コネクタを介して携帯電話機３に接続される形態（いわゆる外付けの形態）であってもよい。
【００３９】
ロック解除装置５は、ＣＰＵ５ａ、送信ＲＦ回路５ｂ、ＲＯＭ５ｃ、ＥＥＰＲＯＭ５ｄ及び電池５ｆを内蔵しており、好ましくはタイマ５ｅを内蔵している。なお、「ＣＰＵ」は中央演算処理装置（Central Processing Unit）、「ＲＯＭ」は読出専用メモリ（Read
Only Memory）、「ＥＥＰＲＯＭ」は電気的消去型ＰＲＯＭ（Electronic Erasable
Programmable Read Only Memory）の各略称である。
【００４０】
ＥＥＰＲＯＭ５ｄは、書き換え可能な不揮発性メモリである。このＥＥＰＲＯＭ５ｄは、対応する携帯電話機３のＩＤコード及びファンクションに関する情報を記憶している。ここでは個体識別子としてＩＤコードを用いているが、ＩＤコードに代えていわゆるＭＡＣアドレスを用いてもよい。ファンクションは、携帯電話機３が実行すべき処理内容を表しており、例えばキー操作のロックを解除すべき旨や、キー操作をロックすべき旨を表す指示に対応するコードである。
【００４１】
ＲＯＭ５ｃは、ロック解除信号の送信を制御する送信プログラムを格納している。ＣＰＵ５ａは、ＲＯＭ５ｃに格納されている送信プログラムを読み出してこれを実行する。またＣＰＵ５ａは、送信プログラムを実行する際にＥＥＰＲＯＭ５ｄからＩＤコード及び実行すべきファンクションを含めた送信フレームを生成する。
【００４２】
またタイマ５ｅは、ＣＰＵ５ａの制御によって送信間隔を計測する機能を有する。なおタイマ５ｅは、ＣＰＵ５ａに内蔵されるタイマで代用されるものであってもよい。
【００４３】
一方、携帯電話機３が内蔵する受信機７は、ＣＰＵ７ａ、受信ＲＦ回路７ｂ、ＲＯＭ７ｃ、ＥＥＰＲＯＭ７ｄ及び電池７ｆを内蔵しており、好ましくはタイマ７ｅを内蔵している。受信機７は、携帯電話機３の一部分となる基板モジュールとして内蔵されている態様でもよいし、あるいは独立した１つの装置として内蔵されている態様であってもよい。
【００４４】
ＥＥＰＲＯＭ７ｄは、上記の通り書き換え可能な不揮発性メモリである。ここには携帯電話機３のＩＤコード（自己の個体識別子）が記録されている。またＥＥＰＲＯＭ７ｄには、ＩＤコードの他にもファンクションや送信タイミング等の情報が記憶されているが、それらについては後述する。
【００４５】
ＲＯＭ７ｃには受信プログラムが格納されている。ＣＰＵ７ｃは、ＲＯＭ７ｃに格納されている受信プログラムを読み出してこれを実行する。また受信ＲＦ回路７ｂはＣＰＵ７ａの制御に基づいて動作し、ここで受信したロック解除信号を復調する。ＣＰＵ５ａは受信プログラムの実行に伴い、復調されたロック解除信号からＩＤコード及びファンクションを抽出し、これらをＥＥＰＲＯＭ７に記憶させる処理を行う。
【００４６】
また、ＣＰＵ５ａは受信プログラムの実行に伴い、抽出したＩＤコードが携帯電話機３に固有のＩＤコードに一致するか否かを判断し、一致する場合にはファンクションｃに応じた処理を実行し、一致しない場合にはファンクションに応じた処理を実行しない。このファンクションとしては、例えば、キー操作のロックを解除すべき旨の指示や、キー操作をロックすべき旨の指示である。
【００４７】
携帯電話機３においては、上記キーロック機能を発揮する制御プログラム（以下「キーロック制御プログラム」と呼称する）が動作している。このキーロック制御プログラムでは、受信機７からキー操作のロックを解除すべき旨の通知（指示）があった場合、キー操作のロックを解除する処理が行われる。一方、キー操作のロックをすべき旨の通知（指示）があると、キー操作をロックする処理が行われる。
【００４８】
図３は、ロック解除信号の送信フレームを概念的に示している。ロック解除信号の送信フレームは、図３に示されるようにスタートビット９ａとストップビット９ｄとの間に、ＩＤコード９ｂ及びファンクション９ｃが挟み込まれたフレーム構成となっている。ロック解除装置５の送信ＲＦ回路５ｂは、ＣＰＵ５ａの制御に基づいて送信フレーム９を変調し、この変調した送信フレーム９で構成されたロック解除信号を無線で送信する機能を有する。
【００４９】
次に、実際の自動ロックシステム１の動作例について説明する。なお本実施形態では、例えばスタジアム、商業施設、事業所等の多数の人々が集まる場所において、これら多数の人々のほとんどが各々に携帯電話機３及びロック解除装置５を対応させて所持している状況を想定している。このような状況において、複数のロック解除装置５が同じ周波数を用いてロック解除信号を送信したとすると、その近くにある携帯電話機３がほぼ同時期に複数のロック解除信号を受信してしまい、混信が生じる可能性がある。そこで以下に説明する第１〜第３実施形態では、それぞれの手法によってロック解除信号の混信を有効に回避している。
【００５０】
〔第１実施形態〕
第１実施形態では、先ず送信ＲＦ回路５ｂによるロック解除信号の基本的な送信周期である基準時間を例えば５秒とし、この基準時間（５秒）に対し、ある自然数（例えば１，２，３，４，５のいずれか）を乗じて実際の送信間隔を設定する。そして、この設定した送信間隔をあけて実際に送信ＲＦ回路５ｂによりロック解除信号を送信するとともに、１回の送信ごとに自然数の値を変更するものとしている。
【００５１】
図４は、第１実施形態に関するロック解除信号の送信状態とその受信状態及びロック解除動作の関連性を示したタイミングチャートである。例えば、最初（起動時）にロック解除装置５が送信ＲＦ回路５ｂからロック解除信号を送信すると（図中の時刻ｔ１）、ＣＰＵ５ａは基準時間を１倍（＝５秒）して次回の送信間隔を設定する。そして、ＣＰＵ５ａはタイマ５ｅにより次回の送信間隔（５秒）を計測すると、そのタイミングで送信ＲＦ回路５ｂによりロック解除信号を送信させる。次にＣＰＵ５ａは、基準時間を２倍（５秒×２＝１０秒）して次回の送信間隔を設定し、タイマ５ｅにより次回の送信間隔（１０秒）を計測すると、そのタイミングで送信ＲＦ回路５ｂによりロック解除信号を送信させる。以下同様にして、ロック解除信号が送信される度に、ＣＰＵ５ａは基準時間に乗じる自然数の値を１から順番に５まで変化させていくことで、毎回の送信間隔を１５秒±１０秒の範囲内で変化させることができる。
【００５２】
図４中（Ａ）として示されるように、初回の次の回では５秒の送信間隔をおいてロック解除信号が送信されている。この次の回（３回目）では、図４中（Ｂ）として示されるように１０秒の送信間隔をおいてロック解除信号が送信されている。さらに次回（４回目）では、図４中（Ｃ）として示されるように１５秒の送信間隔をおいてロック解除信号が送信される。その次の回（５回目）では、図４中（Ｄ）として示されるように、２０秒の送信間隔をおいてロック解除信号が送信されている。そして次の回（６回目）では、図４中（Ｅ）として示されるように、２５秒の送信間隔をおいてロック解除信号が送信されている。このように、基準間隔（５秒）に乗じる自然数が５に達すると、ＣＰＵ５ａは自然数を１に戻し、また１から順に５まで繰り上げていく処理を行う。なお、ここでは１〜５の順番で自然数の値を巡回させているが、自然数の値が５に達すると、次に４，３，２，１と逆順に戻していく態様であっても良い。
【００５３】
第１実施形態では、ロック解除装置５がロック解除信号を１回送信するたびに、次のロック解除信号の送信間隔が１５秒±１０秒の範囲内において５秒刻みで変化することになる。このため、各ロック解除装置５は、毎回の送信タイミングが常に一定でなく、見かけ上はランダムとなり、間欠的にロック解除信号を送信することができる。
【００５４】
一方、受信機７では、ＣＰＵ７ａの制御によって、送信間隔の基本単位である５秒の間隔で受信可能な状態（ＯＮ）と受信しない状態（ＯＦＦ）とを切り替える間欠受信動作を行っている。ロック解除信号を受信可能な状態（ＯＮ）では、受信機７は受信ＲＦ回路７ｂによってロック解除信号を受信する。またＣＰＵ７ａは、ＥＥＰＲＯＭ７ｄから自己のＩＤコードを読み出すとともに、受信したロック解除信号に含まれるＩＤコードが自己のＩＤコードと一致しているか否かを判定する。
【００５５】
ＣＰＵ７ａは、この判定の結果、このロック解除信号に含まれるＩＤコードが自己のＩＤコードと一致している場合にはキー操作を許容すべく、携帯電話機３のキーロック制御プログラムに対してロック解除通知をする。これに対し、このロック解除信号に含まれるＩＤコードが自己のＩＤコードと一致しない場合にはキー操作を規制すべくロック通知をする。
【００５６】
携帯電話機３は、ロック解除通知がある間はキー操作のロックを解除する一方、ロック通知があると、キー操作をロックする。したがって携帯電話機３は、ロック解除装置５が近接することでキー操作のロックが解除されない限り、キー操作を行うことができない。あるいは、ロック解除信号が届かなくなるほどロック解除装置５が離れた場所にあると、携帯電話機３のキー操作がロックされる。このため携帯電話機３は、これを紛失或いは盗難に遭った場合においても、ロック解除装置５さえ操作者が所持し続けていれば、第三者によって個人情報が盗み取られたり、悪用されたりすることがない。
【００５７】
なお第１実施形態では、ロック解除装置５からロック解除信号が送信されない最大間隔（Ｗｍａｘ）として２５秒（＝５秒×５）が設定されている。このため受信機７では、たとえ１回の受信動作時にロック解除信号を受信できなかった場合でも（例えば図４中の時刻ｔ２）、直ちにロック通知をすることなく、引き続きロック解除信号を待ち受けている。そして、最大間隔（Ｗｍａｘ）を経過してもなお、ロック解除信号が受信できなかった場合、受信機７はロック通知を行う。これにより、携帯電話機３のキー操作がロックされることになる。なお、このような状態の関連は図４中に２点鎖線で示されている（例えば時刻ｔ３〜時刻ｔ４）。
【００５８】
第１実施形態によれば、大人数が密集する場所において複数の携帯電話機３及びロック解除装置５が互いに近接して使用された場合においても、個々のロック解除装置５がロック解除信号を送信する度に自然数の値を変化させつつ、基準時間を変更後の自然数倍して得た送信間隔（１５秒±１０秒）でロック解除信号を送信する。
【００５９】
このため第１実施形態では、複数のロック解除装置５が互いに近接している場合でも、複数のロック解除装置５によるロック解除信号の送信タイミングを互いに異ならせることができる。したがって、各携帯電話機３では、複数のロック解除装置５から異なるロック解除信号を同時に受信しにくいことから、ロック解除信号の混信を防止することができる。この場合、携帯電話機３においては、受信機７のＣＰＵ７ａがロック解除信号に含まれるＩＤコードと自己のＩＤコードとが一致しているか否かに関して、これを確実に判定することができる。このため携帯電話機３では、周囲にロック解除装置５が複数存在する場合でも、受信したロック解除信号中のＩＤコードが自己のＩＤコードに一致する場合には確実にキー操作を許容することができ、また、ＩＤコードが一致しない場合には確実にキー操作の規制を継続することができる。
【００６０】
〔スリープ状態への移行制御〕
また、受信機７のＣＰＵ７ａは、受信ＲＦ回路７ｂによってロック解除信号を受信できない状態が予め定められた時間（第１実施形態では最大間隔Ｗｍａｘ）にわたり継続した場合、受信ＲＦ回路７ｂによる間欠受信動作の実行を規制したスリープ状態に移行する処理を行う。スリープ状態に移行すると、受信機７では基本的に受信ＲＦ回路７ｂへの給電が停止される。そしてＣＰＵ７ａは、このスリープ状態を一定時間（例えば数分間〜数十分間）にわたり継続させた後、一旦スリープ状態を解除する。これにより、受信ＲＦ回路７ｂへの給電が再開されるとともに、一定間隔（第１実施形態では５秒）ごとに受信可能状態と受信不可能状態とを交互に繰り返す間欠受信動作が行われる。スリープ状態から復帰後の間欠受信動作は、例えば最大間隔Ｗｍａｘが経過するまで継続し、この間にロック解除信号を受信できなければ、ＣＰＵ７ａは再び受信ＲＦ回路７ｂをスリープ状態に移行させる。このようにして、ＣＰＵ７ａはスリープ状態への移行とスリープ状態の解除とを交互に繰り返す制御を実行する。
【００６１】
このようなスリープ機能により、ロック解除信号を受信できないのにもかかわらず受信ＲＦ回路７ｂがロック解除信号を受信しようと作動し続けることを防止することができる。これにより携帯電話機３は、受信ＲＦ回路７ｂによる無駄な電力消費を低減できるため、さらに消費電力を抑えることができる。
【００６２】
しかも携帯電話機３では、スリープ状態に一旦移行した場合でも、一定時間経過すると、ＣＰＵ７ａがスリープ状態を解除するため、再度、受信ＲＦ回路７ｂがロック解除信号を受信可能な状態となる。したがって携帯電話機３は、消費電力を抑制しつつ、長期間でみるとロック解除信号の受信待ちを続けることができる。このため、一度はユーザが携帯電話機３を置き忘れて離れてしまったため、携帯電話機３が自動でロック状態になったままスリープ状態に移行していたとしても、再びユーザがロック解除装置５を所持して戻ってくれば、やがてスリープ状態から復帰した時点でロック解除信号を受信するので、携帯電話機３のロック状態が解除される。これにより、携帯電話機３の自動ロック機能を活用しつつ、ユーザの使用の利便性を高めることができる。なお、このようなスリープ状態への移行制御については、これ以降で説明する第２，第３実施形態にも適用することができる。
【００６３】
〔間欠受信動作の詳細〕
図５は、受信機７が間欠的に実行する間欠受信動作の制御例を示すフローチャートである。なお、図示の間欠受信動作は、受信機７のＣＰＵ７ａが一定時間毎に実行する処理の一例である。
【００６４】
受信機７が起動すると、先ずＣＰＵ７ａがＥＥＰＲＯＭ７ｄに自己のＩＤコードが設定登録されているか否かをチェックする（ステップＳ１）。ＣＰＵ７ａは、自己のＩＤコードが設定登録されていない場合には間欠受信動作の実行を終了する一方、自己のＩＤコードが設定登録されている場合には、キーロック機能の設定が有効（ＯＮ）であるか否かをチェックする（ステップＳ２）。通常、出荷後はＩＤコードが設定されているため（ステップＳ１＝Ｙ）、ＣＰＵ７ａはステップＳ２に進む。
【００６５】
次にＣＰＵ７ａは、キーロック機能の設定が無効である場合（ステップＳ２＝Ｎ）には間欠受信動作を終了する。一方、キーロック機能の設定が有効である場合（ステップＳ２＝Ｙ）には、受信ＲＦ回路７ｂによる受信を試み、その受信可能時間帯（解除時間内）に受信ＲＦ回路７ｂによってロック解除信号を受信したか否かを判断する（ステップＳ３）。
【００６６】
ここでＣＰＵ７ａは、ロック解除信号を受信していない場合（ステップＳ３＝Ｎ）には、ロック解除信号を受信できない回数（連続でカウントしたもの）が所定回数（第１実施形態では５回）以内であるか否かを判断する（ステップＳ４）。ロック解除信号を受信しない回数が所定回数を超える場合（ステップＳ４＝Ｎ）には、ＣＰＵ７ａはロック解除信号を受信できる可能性が低いと判断し、ロック状態に移行する処理を行うべくステップＳ７に進む。ステップＳ７では、ＣＰＵ７ａは予め定められた時間毎（第１実施形態では５秒毎）に受信ＲＦ回路７ｂを制御してロック解除信号の受信待ちを行う。
【００６７】
一方、ロック解除信号を受信できない回数が所定回数以内である場合（ステップＳ４＝Ｙ）には、まだロック解除信号を受信できる可能性があると判断し、ロック状態に移行する処理を行うことなく間欠受信動作を継続する。なおＣＰＵ７ａは、ロック解除信号を１回受信する毎に、上記ロック解除信号を受信できない回数を初期化する。
【００６８】
一方、ＣＰＵ７ａは、ロック解除信号を受信している場合（ステップＳ３＝Ｙ）にはＩＤコードの照合処理を実行する。ＣＰＵ７ａは、この照合処理において、ロック解除信号に含まれるＩＤコードを抽出し、この抽出したＩＤコードと自己のＩＤコードとが一致しているか否かを判断する（ステップＳ５）。
【００６９】
ＣＰＵ７ａは、両ＩＤコードが互いに一致している場合（ステップＳ５＝Ｙ）、キー操作のロック状態を解除した状態（ロック解除状態）に移行するとともに、ロック解除状態における基本受信動作（第１実施形態では５秒ごと）を実行する（ステップＳ６）。これにより、受信機７では上記の間欠受信動作が継続されることになる。
【００７０】
一方、ＣＰＵ７ａは、両ＩＤコードが互いに一致していない場合（ステップＳ５＝Ｎ）、ＣＰＵ７ａはロック状態に移行する処理を行うとともに、ロック状態における基本受信動作を実行する（ステップＳ７）。
【００７１】
以上の手順を繰り返すことで、受信機７では一定間隔毎に受信待ちを行う間欠受信動作が繰り返し行われるとともに、ロック解除信号が受信できなかった場合やＩＤコードが一致しない場合のロック状態への移行処理が行われる。
【００７２】
これにより、携帯電話機３は、例えば５秒ごとに設定された受信可能な時間帯にロック解除装置５からのロック解除信号を受信できた場合、ＩＤコードの認証処理を実行し、キー操作のロックを制御する。この場合、受信ＲＦ回路７ｂの作動が間欠的になり、その作動時間が制限されるため、受信機７を内蔵する携帯電話機３は、受信ＲＦ回路７ｂを恒常的に受信可能な状態にしておく必要がなくなるため、それだけ消費電力を低下させることができる。
【００７３】
＜第２実施形態＞
次に第２実施形態について説明する。第２実施形態としての自動ロックシステム１ｂは、その基本的な構成及び動作を第１実施形態の自動ロックシステム１と共通にする。このため、同様の構成および動作についてはその説明を省略し、以下異なる点を中心として説明する。なお、第２実施形態において第１実施形態と同様の事項について説明が及ぶ場合は、第１実施形態と同一の符号を用いる。
【００７４】
第２実施形態としての自動ロックシステム１ｂでは、ロック解除装置５が送信するロック解除信号の送信タイミングにさらに工夫がなされている。具体的には、ロック解除装置５のＣＰＵ５ａが一定の間隔をおいて到来する送信可能時間帯を設定するとともに、さらにこの送信可能時間帯を複数の単位時間帯（「スロット」とも呼称する）に細分化し、そのいずれか１つの単位時間帯を使ってロック解除信号を送信する。この際、ＣＰＵ５ａは送信ＲＦ回路５ｂからロック解除信号を出力する度にいずれか１つの単位時間帯を指定する。
【００７５】
図６は、第２実施形態に関するロック解除信号の送信状態とその受信状態及びロック解除動作の関連性を示したタイミングチャートである。第２実施形態では、一定の間隔（ここでは３０秒）ごとに到来する送信可能時間帯（例えば時刻ｔ１〜時刻ｔ２までの時間帯）が設定されており、ロック解除信号はこの送信可能時間帯の中で送信される。送信可能時間帯はさらに６つのスロットに細分化されており、実際にロック解除信号が送信されるのは、この中の１つのスロットに相当する時間帯だけである。
【００７６】
〔動作例〕
例えば、ある送信タイミングにＣＰＵ５ａが送信可能時間帯の中の最初のスロット（スロットＡ）を選択したとすると、ロック解除信号は送信可能時間帯の当初（時刻ｔ１）からスロットＡに相当する単位時間帯の間で送信される。残余の時間内では、ロック解除信号は送信されない。１つのスロットに含まれる時間は例えば５０ミリ秒であり、６つのスロットを含む１つの送信可能時間帯（符号Ｓ）は例えば３００ミリ秒である。
【００７７】
ＣＰＵ５ａは、これら６個のスロット（Ａ〜Ｆ）のうちいずれかをランダムに選択することができる。選択の確率は均等（各６分の１）でよい。なお、図示の例では、ＣＰＵ５ａが選択したスロットは実線で図示しており、選択しなかったスロットは２点鎖線で図示している。
【００７８】
具体的には、ＣＰＵ５ａは、例えば最初のスロットＡを選択した場合には送信可能時間帯の当初（時刻ｔ１）から送信タイミングを設定する。その次で２番目のスロットＢを選択した場合には送信可能時間帯の当初からではなく、２つ目の単位時間帯から送信タイミングを設定する。以下同様にして、ＣＰＵ５ａが３番目のスロットＣを選択した場合には３番目の単位時間帯から送信タイミングを設定し、４番目のスロットＤを選択した場合には４番目の単位時間帯から送信タイミングを設定する。ＣＰＵ５ａが５番目及び６番目のスロットＥ，Ｆを選択した場合は、それぞれ５番目、６番目の単位時間帯から送信タイミングが設定されることは明かである。
【００７９】
一方、受信機７では、送信可能時間帯の当初から最後（図中の時刻ｔ１〜時刻ｔ２）までの間にわたり、ロック解除信号を受信可能な状態で待ち受けている。これは、送信可能時間帯のいずれか１つの単位時間帯にてロック解除信号が送信されることを考慮したものである。したがって、この受信可能な時間帯の中で受信機７がロック解除信号を受信し、かつＩＤコードが携帯電話機３のＩＤコードと一致した場合、ロック解除状態が維持される。
【００８０】
これに対し、受信可能な時間帯の中でロック解除信号を受信することができなかった場合、携帯電話機３はロック状態に移行する。なお図６には、このようなロック状態への移行が行われた場合を２点鎖線で示している（時刻ｔ３）なお第２実施形態に図５の間欠受信動作の制御例を適用する場合、ステップＳ４における所定回数は、例えば０回〜２回程度とすることができる。
【００８１】
図６ではスロットＡ〜スロットＦが順番に選択された例を示しているが、第２実施形態では、１回の送信ごとにＣＰＵ５ａがスロットＡ〜Ｆをランダムに指定して送信タイミングを設定してもよい。あるいは、第２実施形態においては、隣り合う送信可能時間帯における実際の指定スロットが互いに異なるように、ＣＰＵ５ａがスロットを選択してもよい。例えば、スロットＡが選択されたら、次は別のスロットＣ、その次はスロットＦといった選択が行われる。これにより、例えば悪意ある第三者が特定のスロットのタイミングを知った場合においても、次の送信可能時間帯のスロットのタイミングは容易に把握することができない。
【００８２】
第２実施形態によれば、大人数が密集するエリア内で複数の携帯電話機３が互いに近接して使用される場合においても、個々のロック解除装置５がロック解除信号を送信する度に、次のロック解除信号の送信タイミングとして別のスロットが指定される。これにより、実際に各ロック解除装置５からロック解除信号が送信されるタイミングはほとんど同期することなく、不規則に分散することになる。
【００８３】
このため複数のロック解除装置５が互いに近接している場合でも、個々のロック解除装置５の送信ＲＦ回路５ｂによるロック解除信号の送信タイミングが互いに異なる。したがって、各携帯電話機３では、複数のロック解除装置５から異なるロック解除信号を基本的に同時に受信することがなくなり、ロック解除信号の混信を低減することができる。
【００８４】
＜第３実施形態＞
次に、第３実施形態について説明する。第３実施形態としての自動ロックシステム１ｄは、その構成及び動作を第１実施形態としての自動ロックシステム１とほぼ共通にする。このため、共通する事項についてはその説明を省略し、以下異なる点を中心として説明する。なお、第３実施形態において第１実施形態と同様の事項について説明が及ぶ場合は、第１実施形態と同一の符号を用いる。
【００８５】
第３実施形態では、第１実施形態と異なり、ロック解除装置５のＣＰＵ５ａがロック解除信号を送信可能な時間帯を設定すると、この送信可能な時間帯に関する情報をロック解除信号に含めて送信するものとなっている。
【００８６】
図７は、ロック解除信号の送信フレーム１９の一例を示すフレーム構成図である。送信フレーム１９は、図３に示す送信フレーム９と基本的には同じであるが、次送信タイミング９ｅを含んでいる点が異なっている。次送信タイミング９ｅは、次にロック解除信号を送信すべき送信タイミングを表す情報である。
【００８７】
このようなフレーム構成のロック解除信号をロック解除装置５で生成することにより、第３実施形態では、受信機７にて受信したロック解除信号から次送信タイミング９ｅ（送信可能な時間帯に関する情報）を抽出し、次送信タイミング９ｅに基づく送信可能な時間帯に応じてロック解除信号の受信可能な時間帯を設定する機能を有する。
【００８８】
図８は、第３実施形態に関するロック解除信号の送信状態とその受信状態及びロック解除動作の関連性を示したタイミングチャートである。例えば、ある時点（図中の時刻ｔ１）でロック解除装置５が送信ＲＦ回路５ｂからロック解除信号を送信したとき、このロック解除信号には上記のように次回の送信タイミングに関する情報が含まれている。この情報には、例えば次回の送信タイミングが来るまでの経過時間、もしくは今回の送信タイミングから次回の送信タイミングまでの間隔を表すコードが含まれている。
【００８９】
受信機７は、ロック解除信号を受信すると、ひとまず送信可能な状態（ＯＮ）から送信不可能な状態になる（ＯＦＦ）。そして、受信機７では受信したロック解除信号から送信タイミングに関する情報を抽出し、この抽出した送信タイミングに合わせて次回の受信動作を行う（時刻ｔ２）。一方のロック解除装置５は、先のロック解除信号に含めて送信した送信タイミングにしたがい、次回のロック解除信号を送信する（同じく時刻ｔ２）。これにより、送信間隔おいてロック解除装置５による送信動作と、受信機７による受信動作とが互いに同期したものとなる。
【００９０】
第３実施形態の場合、ロック解除装置５により設定される送信タイミングの間隔が１回ごとに異なっている。このため、例えば最初の送信タイミング（時刻ｔ１）から次回（２回目）の送信タイミング（時刻ｔ２）までの送信間隔と、２回目の送信タイミングからその次の回（３回目）の送信タイミング（時刻ｔ３）までの送信間隔は異なる。以下同様にして、ロック解除装置５がロック解除信号を送信する毎に、次回の送信タイミングとして設定した送信タイミングに関する情報（時刻ｔ４，ｔ５，ｔ６等）が送信され、ここから抽出した送信タイミングに基づき、受信機７では次回の送信タイミングに合わせて受信状態（ＯＮ又はＯＦＦ）を切り替えることができる。
【００９１】
これにより受信機７は、ロック解除装置５がロック解除信号を送信するタイミングに合わせて、その受信タイミングを完全に一致させることができる。このため受信機７は、ランダムな間隔をおいて間欠的な受信動作を繰り返しつつ、ロック解除信号を受信しない状態に移行している間には受信ＲＦ回路７ｂの作動を規制することができる。
【００９２】
第３実施形態によれば、受信機７が次にロック解除信号を受信すべき受信タイミングをその時刻まで正確に把握できるため、次の受信タイミングが到来したときだけ受信ＲＦ回路７ｂを受信可能な状態に作動させればよい。したがって携帯電話装置３は、次の受信タイミング以外においては受信ＲＦ回路７ｂを作動させる必要がないため、それだけ消費電力を低減することができる。
【００９３】
なお第３実施形態では、次回の送信タイミングが受信機７において明確に把握されていることから、例えば受信機７が受信動作を行ったにもかかわらず、ロック解除信号を受信することができなかった場合は、その１回の未受信をもってロック状態に移行する処理を実行することができる（図５のステップＳ４＝Ｎとなる。）。図８には、このようなロック状態に移行する処理がなされた場合の変化が２点鎖線で示されている。第３実施形態に図５の間欠受信動作の制御例を適用する場合、ステップＳ４における所定回数は、例えば０回とすることができるが、これに限るものではない。
【００９４】
また第３実施形態によれば、第三者が、ある２回分のロック解除信号の送信間隔を計っていた場合でも、毎回の送信間隔がランダムに変更される。このため、いわゆる学習リモコンを悪用した不正行為を確実に防止することができる。
【００９５】
また、学習リモコンが出力した偽のロック解除信号には、ロック解除信号の送信タイミングに関する情報が含まれていないため、携帯電話機３では、仮にこの偽ロック解除信号を受信しても、この偽ロック解除信号から送信タイミングに関する情報を抽出することができない。したがって携帯電話機３では、次にロック解除信号を受信するべき受信タイミングを設定することができない。このため携帯電話機３は、このような学習リモコンを悪用して操作の規制を解除することができず、これを悪用した不正行為を確実に防止することができる。
【００９６】
上述した第３実施形態による手法は、第１，第２実施形態にもそれぞれ適用することができる。
例えば第１実施形態に適用した場合、ロック解除装置５のＣＰＵ５ａは、ロック解除信号に次回の送信間隔の設定に用いる自然数の値に関する情報を含めて送信する。これを受信した受信機７では、ＣＰＵ７ａが自然数の値から次回の送信タイミングを算出し、そのタイミングに合わせて受信動作を行うことができる。この場合、携帯電話機３の受信機７では、ロック解除信号が送信されてこないタイミングで不要な受信動作を行う必要がなくなり、さらに省電力化が促進される。
【００９７】
また、第２実施形態に適用した場合、ロック解除装置５のＣＰＵ５ａは、ロック解除信号に次回の送信に用いる単位時間帯（スロットＡ〜Ｆ）に関する情報を含めて送信する。これを受信した受信機７では、ＣＰＵ７ａが次回の単位時間帯に合わせて受信動作を行うことができる。この場合も同様に、携帯電話機３の受信機７ではロック解除信号が送信されてこない単位時間帯での受信動作を行う必要がなくなり、さらに省電力化が促進される。
【００９８】
本発明は、上記の各実施形態に限定されず、特許請求の範囲を逸脱しない範囲で種々の変更を行うことができる。例えば上記実施形態の各構成は、その一部を省略したり、上記とは異なるように任意に組み合わせることができる。
【００９９】
第１実施形態では、自然数の値（例えば１〜５）を順番に変化させているが、これらは不規則に変更される態様であってもよい。また、自然数の値は必ずしも毎回のように変更される必要はなく、一定の回数毎に、あるいは不規則な回数をおいて変更される態様であってもよい。
特に、第１実施形態で基準間隔に乗じる係数は自然数でなくてもよく、実用上の意味がある数（例えば正の実数）であれば、自然数以外の有理数等であってもよい。
【０１００】
上記実施形態では、電子機器の一例として、携帯電話機３を挙げているが、本発明は、本来の使用者ないし所有者の手元を離れた場合に、その操作がロックされた方が好ましい性質を有する他の電子機器を採用してもよい。他の電子機器としては、例えば携帯型の情報端末、携帯型のゲーム機、ノート型パソコン等を挙げることができる。
【図面の簡単な説明】
【０１０１】
【図１】第１実施形態としての自動ロックシステムの外観の一例を示す斜視図である。
【図２】自動ロックシステムの電気的な構成例を示すブロック図である。
【図３】ロック解除信号の送信フレームの一例を示す図である。
【図４】第１実施形態に関するロック解除信号の送信状態とその受信状態及びロック解除動作の関連性を示したタイミングチャートである。
【図５】受信機が間欠的に実行する間欠受信動作の制御例を示すフローチャートである。
【図６】第２実施形態に関するロック解除信号の送信状態とその受信状態及びロック解除動作の関連性を示したタイミングチャートである。
【図７】送信ＲＦ回路が送信するロック解除信号の送信フレームの一例を示すフレーム構成図である。
【図８】第３実施形態に関するロック解除信号の送信状態とその受信状態及びロック解除動作の関連性を示したタイミングチャートである。
【符号の説明】
【０１０２】
１    自動ロックシステム
３    携帯電話機
５    ロック解除装置
５ａ  ＣＰＵ
５ｂ  送信ＲＦ回路
７ａ  ＣＰＵ
７ｂ  受信ＲＦ回路
【図１】
2007325035.tif 000003
【図２】
2007325035.tif 000004
【図３】
2007325035.tif 000005
【図４】
2007325035.tif 000006
【図５】
2007325035.tif 000007
【図６】
2007325035.tif 000008
【図７】
2007325035.tif 000009
【図８】
2007325035.tif 000010